(57)【要約】【課題】  取付け操作が簡便であって、手摺りや把手などの器具・内装備品を、壁面に強度を持たせながら確実に取付けることのできる手摺り等の取付け装置と、その取付け方法を提供する。【解決手段】  ボルト４が装着された矩形状のプレート１を、ボルト４を把持しながら壁面Ｗに設けた壁孔Ｈを通して裏面側に挿入したのち、壁面Ｗ上に突出したボルト４に表面固定板２を、パッキン５を介在させて挿通させ、この表面固定板２上において係止板３をボルト４に押圧しながら緊密に係合させ、この係止板３によって壁面Ｗにプレート１と表面固定板２を後付け固着する。【選択図】        図1
2005076398.tif 000002
【特許請求の範囲】
【請求項１】
中心部にネジ孔を有し、壁面の裏面側に配置される矩形状のプレートと、
前記プレートのネジ孔に係合する所要長さのボルトと、
壁表面に突出した前記ボルトの貫通孔を有する表面固定板と、
前記表面固定板を貫通したボルトと緊密に係合し、壁面に前記プレートと表面固定板とを一体化に固着する係止板と、
前記ボルトを利用して表面固定板上に固着される手摺り取付け用のブラケット
とから構成されていること
を特徴とする手摺り等の取付け装置。
【請求項２】
前記ブラケットは、
その内周部に、手摺りの基端部に形成された雄ネジと係合する雌ネジが形成されていること
を特徴とする請求項１に記載の手摺り等の取付け装置。
【請求項３】
中心部に形成されたネジ孔の左右対称部位にネジ孔を有し、壁面の裏面側に配置される矩形状のプレートと、
前記プレートの中心部のネジ孔に係合する把持用の長いネジ杆と、左右のネジ孔に係合し、その先端部が壁表面上に突出する長さの短い２本のボルトと、
壁面の表面に突出した前記各ネジ杆及びボルトの貫通孔を有する表面固定板と、
前記表面固定板を貫通した左右のボルトと緊密に係合し、壁面に前記プレートと表面固定板とを一体化に固着する係止板
とから構成されていること
を特徴とする手摺り等の取付け装置。
【請求項４】
前記矩形状のプレートは、
所要厚さの金属板からなるものであって、その短辺は壁面に形成される壁孔の直径より小さく、長辺は壁孔の直径より大きいこと
を特徴とする請求項１又は３に記載の手摺り等の取付け装置。
【請求項５】
所要長さのボルトが装着された矩形状のプレートを、ボルトの先端部を把持しながら、壁面に設けた壁孔を通して壁面の裏面に挿入したのち、
壁面の表面に突出した前記ボルトを適宜手段で保持しながら、当該ボルトに表面固定板を遊嵌させ、
ついで、押圧力を加えながらボルトに係止板を捩じ込み、
壁面に前記プレートと表面固定板を固定すること
を特徴とする手摺り等の取付け方法。
【請求項６】
前記プレートは、
全体が矩形状で、その短辺は壁面に形成される壁孔の直径より小さく、長辺は壁孔の直径より大きいこと
を特徴とする請求項５に記載の手摺り等の取付け方法。
【請求項７】
前記プレートは、
金属製であって、前記係止板がポリプロピレン樹脂製の薄板であること
を特徴とする請求項５又は６に記載の手摺り等の取付け方法。
【請求項８】
前記プレートは、
その中心部にボルト装着用のネジ孔を有し、このネジ孔に装着されたボルトが、プレートの把持、係止板によるプレートと表面固定板の固定、および後付け器具の取付けに用いられるものであること
を特徴とする請求項５〜７のいずれかに記載の手摺り等の取付け方法。
【請求項９】
前記プレートは、
その中心部にネジ杆装着用のネジ孔と、このネジ孔位置の外側で、壁孔に対応する位置に、複数のプレート固定用ボルトのネジ孔が設けられたもので、
中心部に存在するネジ孔に係合されたネジ杆でプレートを把持し、外側に設けられたプレート固定用のネジ孔に装着されたボルトが、係止板によるプレートと表面固定板の固定に用いられ、把持用に用いたネジ杆をプレートから取除いたのち、プレート固定用のボルトを使用して後付け器具の取付けること
を特徴とする請求項５〜８のいずれかに記載の手摺り等の取付け方法。
【請求項１０】
前記プレートは、
外側に設けられたプレート固定用ボルトのネジ孔が、中心位置に存在する把持用のネジ杆のネジ孔に対し、点対称に設けられたものであること
を特徴とする請求項９に記載の手摺り等の取付け方法。
【発明の詳細な説明】
【技術分野】
【０００１】
この発明は、壁面に手摺りや把手などの器具・内装備品を後付けで取付けるための取付け装置と、当該取付け装置を壁面に取付けるための取付け方法に関するもので、住居などの建築物の内装技術に関するものである。
【背景技術】
【０００２】
住宅の新築などに際しては、廊下や階段、あるいは浴室内などにあらかじめ手摺りなどが設置されるが、なんらかの理由で手摺りなどを既存の壁面に後付けで取付けるに際しては、壁面が比較的強度の小さい材質からなる場合、あるいは厚みが薄くて強度が小さい場合には、一般的に壁材の強度を補うために、壁面の裏側にプレートを設けることが行われている。
【０００３】
例えば、浴室の内壁面や浴槽の周縁部分などに把手を取付ける方法として、たとえば、特開平７−１２７２１６号公報（特許文献１）においては、中程より表方へ突設されるネジ杆を有する帯状のプレートを、表側より壁孔に挿入し、その両端部を壁孔周縁の裏側に当接係止し、頭なしネジ杆を貫通孔が中程に穿設されているカバー板に挿通し、カバー板を壁孔の周縁表側に当接させて壁孔を閉塞すると共に、浴室用把手をネジ杆に螺着してカバー板の表面に押圧当接する方法が提案されている。
【０００４】
また、特開平９−７２３１８号公報（特許文献２）では、比較的強度の小さい壁面に手摺りなどを取付ける際のプレートの取付け方法として、可撓性を有する細長い引張部材を、複数の壁裏プレートにそれぞれ穿設した挿通孔に差し込んだ後、引張部材を把持しつつ、壁裏プレートを、壁孔を通して裏面側に移動させ、つぎに、引張部材の端部を表面側に引っ張り、壁裏プレートの挿通孔同士を位置合わせして、壁裏プレートを互いに交差状に開かせ、端部を壁面の壁孔周りに係合させ、つぎに、固定ネジを表面側に配置される壁表プレートの加圧孔に差し込んだ後、この固定ネジを、少なくとも壁面から最も遠い側の壁裏プレートに形成したネジ孔に捩じ込んで、壁表プレートの端部と壁裏プレートの端部とを壁面の壁孔周りに加圧させて取付ける方法が提案されている。
【０００５】
さらに、特開平９−１１１９８６号公報（特許文献３）には、プレートの取付け方法として、複数の壁裏プレートの内の、壁面から最も遠い側に配置される壁裏プレートに取付けられた固定ネジの一端側に、他の壁裏プレートを保持させるとともに、この固定ネジの他端側を壁面の表面側に配置される壁表プレートの加圧孔に差し込んだ後、この他端側にナット部材を捩じ込み、つぎに、壁裏プレートを壁孔を通して裏面側に移動させた後、壁裏プレートを回動して、壁裏プレートの端部が壁面の壁孔周りに係合できるように、壁裏プレートを互いに交差状に開かせ、つぎに、上記固定ネジを表面側に引いて、上記ナット部材をさらに捩じ込み、壁表プレートの端部と壁裏プレートの端部とを壁面の壁孔周りに加圧させるように取付け方法が提案されている。
【特許文献１】特開平  ７−１２７２１６号公報（特許請求の範囲）
【特許文献２】特開平９−７２３１８号公報（特許請求の範囲）
【特許文献３】特開平９−１１１９８６号公報（特許請求の範囲）
【発明の開示】
【発明が解決しようとする課題】
【０００６】
各特許文献に記載されているように、既存の壁面に後付け手段で手摺りや把手などの器具・内装備品を取付ける際に、壁面の強度を補うために、壁面の裏側にプレートを設けることについての提案が種々行われているが、それぞれ一長一短がある。
【０００７】
簡便なもの、例えば特許文献１記載の方法では、プレートの壁裏への落下防止についての配慮がなく、プレートを壁裏へ落下させることなく、また、把手を、プレートを用いて壁面に確実に固定することが、プレートの揺動などにより容易ではない。
【０００８】
また、壁面の強度を上げるために複数のプレートを用いる特許文献１又は２記載の方法では、強度の向上については特段の問題はないが、複数のプレートを交差させるためには、壁裏への落下防止を兼ねた引張部材が必須アイテムとなり、指を壁孔に差し込むなど複雑な操作を必要とする。特に、指を用いる場合のプレートの壁裏への落下防止を、ナットで固定された壁表プレートにより行なう場合は、ナットの共回りにより手摺りを、プレートを用いて壁面に確実に固定するのことが困難であるという問題を有している。
【０００９】
この発明はかかる問題点に鑑み、取付け操作が簡便であって、手摺りや把手などの器具・内装備品を、壁面に強度を持たせながら確実に取付けることのできる手摺り等の取付け装置と、その取付け方法を提供せんとするものである。
【課題を解決するための手段】
【００１０】
前記の目的を達成するため、この発明の請求項１に記載の発明は、
中心部にネジ孔を有し、壁面の裏面側に配置される矩形状のプレートと、
前記プレートのネジ孔に係合する所要長さのボルトと、
壁表面に突出した前記ボルトの貫通孔を有する表面固定板と、
前記表面固定板を貫通したボルトと緊密に係合し、壁面に前記プレートと表面固定板とを一体化に固着する係止板と、
前記ボルトを利用して表面固定板上に固着される手摺り取付け用のブラケット
とから構成されていること
を特徴とする手摺り等の取付け装置である。
【００１１】
また、この発明の請求項２に記載の発明は、
請求項１に記載の手摺り等の取付け装置において、
前記ブラケットは、
その内周部に、手摺りの基端部に形成された雄ネジと係合する雌ネジが形成されていること
を特徴とするものである。
【００１２】
また、この発明の請求項３に記載の発明は、
中心部に形成されたネジ孔の左右対称部位にネジ孔を有し、壁面の裏面側に配置される矩形状のプレートと、
前記プレートの中心部のネジ孔に係合する把持用の長いネジ杆と、左右のネジ孔に係合し、その先端部が壁表面上に突出する長さの短い２本のボルトと、
壁面の表面に突出した前記各ネジ杆及びボルトの貫通孔を有する表面固定板と、
前記表面固定板を貫通した左右のボルトと緊密に係合し、壁面に前記プレートと表面固定板とを一体化に固着する係止板
とから構成されていること
を特徴とする手摺り等の取付け装置である。
【００１３】
また、この発明の請求項４に記載の発明は、
請求項１又は３に記載の手摺り等の取付け装置において、
前記矩形状のプレートは、
所要厚さの金属板からなるものであって、その短辺は壁面に形成される壁孔の直径より小さく、長辺は壁孔の直径より大きいこと
を特徴とするものである。
【００１４】
さらに、この発明の請求項５に記載の発明は、
所要長さのボルトが装着された矩形状のプレートを、ボルトの先端部を把持しながら、壁面に設けた壁孔を通して壁面の裏面に挿入したのち、
壁面の表面に突出した前記ボルトを適宜手段で保持しながら、当該ボルトに表面固定板を遊嵌させ、
ついで、押圧力を加えながらボルトに係止板を捩じ込み、
壁面に前記プレートと表面固定板を固定すること
を特徴とする手摺り等の取付け方法である。
【００１５】
また、この発明の請求項６に記載の発明は、
請求項５に記載の手摺り等の取付け方法において、
前記プレートは、
全体が矩形状で、その短辺は壁面に形成される壁孔の直径より小さく、長辺は壁孔の直径より大きいこと
を特徴とするものである。
【００１６】
また、この発明の請求項７に記載の発明は、
請求項５又は６に記載の手摺り等の取付け方法において、
前記プレートは、
金属製であって、前記係止板がポリプロピレン樹脂製の薄板であること
を特徴とするものである。
【００１７】
また、この発明の請求項８に記載の発明は、
請求項５〜７のいずれかに記載の手摺り等の取付け方法において、
前記プレートは、
その中心部にボルト装着用のネジ孔を有し、このネジ孔に装着されたボルトが、プレートの把持、係止板によるプレートと表面固定板の固定、および後付け器具の取付けに用いられるものであること
を特徴とするものである。
【００１８】
また、この発明の請求項９に記載の発明は、
請求項５〜８のいずれかに記載の手摺り等の取付け方法において、
前記プレートは、
その中心部にネジ杆装着用のネジ孔と、このネジ孔位置の外側で、壁孔に対応する位置に、複数のプレート固定用ボルトのネジ孔が設けられたもので、
中心部に存在するネジ孔に係合されたネジ杆でプレートを把持し、外側に設けられたプレート固定用のネジ孔に装着されたボルトが、係止板によるプレートと表面固定板の固定に用いられ、把持用に用いたネジ杆をプレートから取除いたのち、プレート固定用のボルトを使用して後付け器具の取付けること
を特徴とするものである。
【００１９】
さらに、この発明の請求項１０に記載の発明は、
請求項９に記載の手摺り等の取付け方法おいて、
前記プレートは、
外側に設けられたプレート固定用ボルトのネジ孔が、中心位置に存在する把持用のネジ杆のネジ孔に対し、点対称に設けられたものであること
を特徴とするものである。
【発明の効果】
【００２０】
この発明の手摺り等の取付け装置は、既存の壁面に、後付けで手摺りや把手などの器具・内装備品を取付けることができるもので、プレートに装着したボルトを利用して、壁孔からプレートを壁面裏に挿入し、壁表面に突出するボルトに表面固定板を挿通させ、この表面固定板上からボルトに係止板を緊密に係合させ、もって壁面を挟んでプレートと表面固定板を一体的に壁面に装着させることができるので、従来のように糸などを使用することなく、手摺り等を装着するための取付け装置を簡単かつ容易に壁面に固定することができるものである。
【００２１】
また、この発明の他の手摺り等の取付け装置は、プレートの中心部に形成したネジ孔に係合するネジ杆を、壁面にプレートと表面固定板を係止板を使用して固着したのち、取り外し、当該ネジ孔に手摺りの基端部に設けたボルトを係合させることによって、手摺りを後付けで簡単かつ容易に壁面に取付けることができるものである。
【００２２】
さらに、この発明の手摺り等の取付け方法は、既存の壁面に、後付けで手摺りや把手などの器具・内装備品を取付ける際に、プレートにボルトを装着して、このボルトを把持して、壁面裏側にプレートを挿入し、壁表側に突出している前記ボルトに、表面固定板を挿通したのち、ボルトに係止板を押圧しながら緊密に係合させるというきわめて単純で容易な操作で、手摺り等を装着するための取付け装置を壁面に確実に後付けでき、しかも、前記プレートを用いることにより、手摺りや把手などの器具・内装備品が確実かつ強固に、しかも容易に壁面に取付けることができるという優れた効果を奏するものである。
【発明を実施するための最良の形態】
【００２３】
この発明の手摺り等の取付け装置は、図１で明らかなように、壁面Ｗに形成された壁孔Ｈを通して壁面裏に配置される矩形状のプレート１と、このプレート１の中心部に形成されたネジ孔に係止される所要長さのボルト４と、壁表面に突出したボルト４を挿通させる貫通孔２ａを有する表面固定板２と、前記表面固定板２を貫通したボルト４と緊密に係合し、壁面Ｗに前記プレート１と表面固定板２とを一体化に固着する係止板３と、前記ボルト４を利用して表面固定板２上に固着される手摺り取付け用のブラケット７とから構成されるものである。
【００２４】
前記プレート１は、全体が矩形状で、中心部にネジ孔（図示せず）を有し、ネジ孔にボルト４を着脱自在に係着させ得るもので、その短辺は壁面Ｗにあらかじめ形成される壁孔Ｈの直径より小さく、長辺は壁孔Ｈの直径より大きく、かつ長辺は挿入可能な限り大きくしたものを用いるもので、所要厚みの金属製であることが好ましい。なお、使用前には、プレート１とボルト４は、通常分離しているものであるが、予めプレート１とボルト４を熔接により固定しておくことも、熔接ボルトを用い同様な構造として、この発明に用いることもできる。
【００２５】
前記表面固定板２は所要の厚みを円盤からなるもので、中心部に前記ボルト４を挿通させるための貫通孔２ａを有し、壁面Ｗを挟んでプレート１と対峙し、係止板３によって壁面Ｗに一体的に固着されるものである。
【００２６】
前記係止板３は、例えばポリプロピレンやポリオレフィンなどの硬質の合成樹脂で成型したもので、その中心部には、ボルト４の外径よりやや小さなネジ孔３ａが形成されたもので、このネジ孔３ａをボルト４に押圧しながら係合させることによってプレート１と表面固定板２とを壁面Ｗを挟んで一体的に連結固定するものである。
【００２７】
前記ブラケット７は所要長さの円筒体で構成されたもので、基端部近傍の内周部を縮径させてボス６の挿入部とし、この縮径部より先端側の内周部に雌ネジを形成したもので、前記ボルト４にボス６を嵌挿したのち、このボス６にブラケット７を外装し、ついでブラケット７内にワッシャー９を嵌め込み、ワッシャー９から突出したボルト４にナット８を係合させることによって、ブラケット７を表面固定板２上に固着するものである。
【００２８】
なお、図１において符号５はパッキンである。
【００２９】
前記プレート１は、中心部に１本のボルト４を係着させるだけのものであるが、図５に示すように、中心部に形成したネジ孔２０ａを挟んで、左右対称位置にそれぞれネジ孔を形成し、中心部には長いネジ杆２１を、左右には少なくとも先端部が壁面Ｗ上に突出する比較的短いボルト２２，２２を係着したプレート２０を使用することもできる。
【００３０】
この場合、表面固定板２４には、前記ネジ杆２１及びボルト２２，２２を挿通させることのできる貫通孔２４ａ，２４ｂ，２４ｃがそれぞれ対応して形成され、係止板２５は、中心部にネジ杆２１を挿通させる貫通孔２５ｂが、その左右にはボルト２２，２２の外径よりも小さな径のネジ孔２５ａ，２５ｃが配置され、各ネジ孔２５ａ，２５ｃをそれぞれボルト２２，２２に押圧しながら緊密に係合させることによって壁面Ｗにプレート２０と表面固定板２４を取付けるものである。
【００３１】
以下、添付の図面に基づいて、この発明の手摺り等の取付け方法を詳細に説明すると、図１は、この発明の取付け装置が壁面に取付けられた状態の一例を示す概略説明図であって、手摺りや把手などの器具・内装備品を取付ける壁面Ｗには、取付け位置にあらかじめ壁孔Ｈが形成され、この壁面Ｗの裏面側にはプレート１が、壁面Ｗの表面側には表面固定板２が、それぞれ壁面Ｗを挟み付けるようにして配置され、プレート１に装着されているボルト４を壁面Ｗの表面に突出させ、この突出したボルト４に表面固定板２を挿通させた
のち、ボルト４に係止板３を押圧しながら係合させることによって、プレート１と表面固定板２とを壁面Ｗを挟み付けた状態で固定するもので、その固定機能は、係止板３に設けたボルト４のための貫通孔３ａの直径を、ボルト４の直径よりやや小さくし、ボルト４に押圧しながら軸装させることにより生じているものである。
【実施例１】
【００３２】
図２はこの発明に係る手摺り等の取付け方法の手順を示すもので、図２（ａ）に示すようにボルト４の一端をプレート１の中心部に装着固定したのち、図２（ｂ）に示すように前記ボルト４の先端部を把持しながら、プレート１の一端面を、壁面Ｗに設けた壁孔Ｈ内に通して壁面の裏面側に挿入する。
【００３３】
ついで、図２（ｃ）に示すように、壁面の裏面側に挿入したプレート１に装着固定したボルト４の先端部を、壁面に設けた壁孔Ｈから表側に突出させ、パッキン５を介して貫通孔２ａが設けられている表面固定板２をボルト４に遊嵌状態で外装し、さらにボルト４に係止板３を押圧しながら壁面Ｗ側に捩じ込み、プレート１と表面固定板２とを壁面Ｗを挟んで一体的に連結固定するものである。
【００３４】
その際、係止板３の貫通孔３ａの径は、前記ボルト４のネジ部の径よりやや小さめに形成されているので、挿通させる際、押圧力を加え、貫通孔３ａに歪みを発生させながら挿通させることが好ましく、この歪みの復元力により、プレート１と表面固定板２が壁面を挟んで確実に連結固定される。
【００３５】
上記のようにして、壁面Ｗに固定されたプレート１を用いて、手摺りを壁面Ｗに後付けするには、図３に示すように、係止板３によって壁面Ｗに固定されたプレート１から突出するボルト４のネジ部に、シーラント（図示せず）を塗布したのち、ボス６，ジョイントナット７，ワッシャー９およびスプリングワッシャー１０を順次挿通し、ナット８で締付固定する。ついで、図４に示されるように、手摺り１１の両端の基端部１２，１２を、それぞれジョイントナット７を介してプレート１に結合固定すれば、手摺り１１を簡単かつ容易に壁面Ｗに取付けることができる。
【実施例２】
【００３６】
図５はこの発明の壁面への手摺り等の取付け方法における、他の一例の手順を示すもので、具体的には、複数のボルト及びネジ杆を有するプレートを使用する方法である。
【００３７】
すなわち、使用するプレート２０は、前記実施例におけるプレート１とは異なり、その中心部に比較的長いネジ杆２１が着脱自在に設けられるとともに、その左右に少し短いボルト２２，２２が同一直線上に左右対称となるよう位置するよう固着されたものである。
【００３８】
このプレート２０を、壁面の裏側に挿入するには、まず、図５（ａ）に示すように、プレート２０の中心部に対称的に存在する２個のネジ孔に、ボルト２１，２１をそれぞれ装着固定し、中心に設けられたネジ孔にネジ杆２１を装着する。ついで、図５（ｂ）に示すように、プレート２０に装着された中央のネジ杆２１を把持しながら、プレート２０を壁面に設けた壁孔Ｈを通して壁面の裏面側に挿入する。なお、プレート２０の材質、形状などは実施例１と同様のものが用いられる。
【００３９】
つぎに、図５（ｃ）に示すように、壁面の裏面側に挿入したプレート２０に装着した各ネジ杆２１及びボルト２２，２２の先端部を、壁面に設けた壁孔Ｈから表側に突出させたのち、パッキン２３を介して表面固定板２４と係止板２５をネジ杆２１及びボルト２２，２２に外挿する。
【００４０】
すなわち、前記表面固定板２４には、前記ネジ杆２１及びボルト２２，２２と相対する部位に、それぞれネジ杆及びボルトを挿通させるための貫通孔２４ａ，２４ｂ，２４ｃが、また係止板２５にも同様に２５ａ，２５ｂ，２５ｃがそれぞれ形成されているので、各貫通孔に対応するネジ杆及びボルトを挿通させ、プレート２０と表面固定板２４とを壁面を挟んで固定する。
【００４１】
その際、実施例１と同様に、係止板２５に形成された貫通孔２５ａ，２５ｂ，２５ｃのうち、左右の貫通孔２５ａと２５ｃは、中心の貫通孔２５ｂとは異なって、ボルト２２，２２のネジ径よりもやや小さめに形成されているので、挿通させる際、押圧力を加え、貫通孔２５ａと２５ｃに歪みを発生させながら挿通させるもので、この歪みの復元力によってプレート２０と表面固定板２４が壁面を挟んで確実に壁面に固定される。
【００４２】
かくしてプレート２０と表面固定板２４の壁面への固定が完了すれば、図５（ｄ）に示すように、把持用の比較的長い中心のネジ杆２１をプレート２０から除去する。
【００４３】
上記のようにして、壁面に固定されたプレート２０を用いて、手摺りを壁面に後付けするには、図６に示されるように、壁面Ｗ裏に固定されたプレート２０から取除かれたネジ杆２１用のネジ孔２０ａに、手摺り２６の両端基端部２７，２７に装着されたボルト２８をそれぞれ係合させれば、手摺り２６を簡単かつ容易にプレート２４を介して壁面Ｗに取付けることができる。なお、図６において、２９は、ボルト２８を締付けた後に取付けるキャップである。
【産業上の利用可能性】
【００４４】
この発明によれば、手摺りや把手などの器具・内装備品を、既存の壁面に後付けすることができるので、建築物、特に住居の内装、その改良・改善に有効な技術で、それらの分野で広く利用される、優れた方法である。
【図面の簡単な説明】
【００４５】
【図１】この発明の手摺り等の取付け装置の一例を示す概略説明図である。
【図２】前記取付け装置の壁面への取付け方法を示す説明図である。
【図３】壁面に固定された取付け装置にブラケットを装着するための説明図である。
【図４】手摺りを壁面に取付ける方法を示す説明図である。
【図５】この発明の手摺り等の取付け装置の他の例を示す概略説明図である。
【図６】手摺りを壁面に取付ける他の方法を示す説明図である。
【符号の説明】
【００４６】
１，２０        プレート
２，２４        表面固定板
３，２５        係止板
４，２２        ボルト
５，２３        パッキン
６              ボス
７              ブラケット
８              ナット
１１，２６      手摺り
２１            ネジ杆
【図１】
2005076398.tif 000003
【図２】
2005076398.tif 000004
【図３】
2005076398.tif 000005
【図４】
2005076398.tif 000006
【図５】
2005076398.tif 000007
【図６】
2005076398.tif 000008